(57)【要約】【課題】遊技性を損なわず、遊技者の技量によって容易かつ自由に遊技者の好みの方向に揺動部材を傾斜作動させることが可能となる弾球遊技機を提供する。【解決手段】裏側の遊技領域Ａ１を流下する遊技球を受け、該遊技球を所定方向に案内流下させる案内部材１８を揺動可能に備えてなる弾球遊技機であって、該案内部材１８は、遊技領域Ａ１にて回動可能に軸支されると共に、遊技球を転動案内する案内面２０を有した揺動部材１９と、該揺動部材１９の両端２２，２３側に備えられ、遊技球を所定時間滞留させることにより、前記揺動部材１９の傾斜作動を操作する遊技球滞留部２７，２７とで構成されている。【選択図】    図１
2006042839.tif 000002
【特許請求の範囲】
【請求項１】
遊技領域を流下する遊技球を受け、該遊技球を所定方向に案内流下させる案内部材を揺動可能に備えてなる弾球遊技機であって、
該案内部材は、遊技領域にて回動可能に軸支されると共に、遊技球を転動案内する案内面を有した揺動部材と、
該揺動部材の少なくとも一端側に備えられ、遊技球を所定時間滞留させることにより、前記揺動部材の傾斜作動を操作する遊技球滞留部とで構成されていることを特徴とする弾球遊技機。
【請求項２】
揺動部材と遊技球滞留部とは、紐状連結部材により連結されていることを特徴とする請求項１に記載の弾球遊技機。
【請求項３】
紐状連結部材は、所定箇所に配置したガイド部に沿って案内されていることを特徴とする請求項２に記載の弾球遊技機。
【請求項４】
遊技球滞留部は、遊技球流下方向の上面を開放した半球皿形状とすると共に、その最深部に遊技球落下穴を備えたことを特徴とする請求項１乃至３のいずれかに記載の弾球遊技機。
【請求項５】
遊技盤に切欠き窓部を設け、
遊技球滞留部は、その上面開放部の一部が盤面前方に突出するようにして前記切欠き窓部内に収容されていることを特徴とする請求項４に記載の弾球遊技機。
【請求項６】
切欠き窓部の内側面に、遊技球滞留部の上下移動を案内する案内部を設けたことを特徴とする請求項５に記載の弾球遊技機。
【請求項７】
下り傾斜状に傾斜した時の揺動部材の先端方向には、入賞口が備えられていることを特徴とする請求項１乃至６のいずれかに記載の弾球遊技機。
【請求項８】
遊技球滞留部は、揺動部材の両端側に夫々備えたことを特徴とする請求項１乃至７のいずれかに記載の弾球遊技機。
【請求項９】
揺動部材が下り傾斜状に傾斜した時の一方の先端方向と他方の先端方向には、夫々入賞口が備えられ、一方の入賞口と他方の入賞口の賞球払出数が相違していることを特徴とする請求項８に記載の弾球遊技機。
【請求項１０】
表示装置を備え、
入賞口は、前記表示装置の変動表示を起動すると共に、大当たりとするか否かの抽選処理を起動する始動口であることを特徴とする請求項１乃至９のいずれかに記載の弾球遊技機。
【請求項１１】
遊技盤の少なくとも一部を透明部材で形成すると共に、該遊技盤の裏側に遊技球が転動する裏側遊技領域を備え、
該遊技盤の裏側遊技領域で、かつ該遊技盤の透明部材部分を介して視認可能に揺動部材を配置したことを特徴とする請求項１乃至１０のいずれかに記載の弾球遊技機。
【発明の詳細な説明】
【技術分野】
【０００１】
本発明は、弾球遊技機、詳しくは、遊技領域を流下する遊技球を受け、該遊技球を所定方向に案内流下させる案内部材を揺動可能に備えてなる弾球遊技機に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所望な入賞口に遊技球が入賞することで所望な演出がなされ、かつ賞球を得ることにより遊技を楽しむものである。
【０００３】
弾球遊技機の遊技性が各機種様々である昨今、弾球遊技機の遊技の意外性・面白みに対する遊技者ニーズが高まっている。
そこで、遊技盤の遊技領域に打ち出された遊技球に意外性のある動きを与え、遊技者に対して遊技球の動きに意外感や面白みを与え、遊技の興趣を向上させようとする弾球遊技機が提供されている。
例えばその一先行技術として次の先行技術を挙げることが出来る。
すなわち、遊技領域に備えられる遊技部材の一つとして、遊技領域を流下する遊技球を受け、該遊技球を左右いずれかの方向に振り分けて案内流下させるべく揺動可能に備えられた遊技球の振分け装置を備えたものが知られている（例えば、特許文献１）。
この振分け装置は、例えば、（１）板状に形成すると共に、その中心位置を軸支して回動可能に備えた揺動部材が、該揺動部材上に落下した遊技球の自重によって左右いずれかの方向に傾斜作動する構成のもの、（２）板状に形成すると共に、その中心位置を軸支して回動可能に備えた揺動部材が、駆動装置によって機械的に傾斜作動するものである。
【特許文献１】特開２００３−２６０２０７号公報
【発明の開示】
【発明が解決しようとする課題】
【０００４】
上述した先行技術によれば、当該先行技術以前の遊技機と比して格段に遊技の興趣の向上が図れていたが、この先行技術には次のような新たな課題が生じている。
【０００５】
すなわち、前記（１）の先行技術では、遊技者の技量で、揺動部材を思い通りの方向に傾斜させることが困難であった。
また前記（２）の先行技術では、揺動部材は駆動装置によって機械的に所定方向に傾斜作動するものであったため、遊技者の技量では傾斜作動させることはできない。
本発明は、このような問題を解決するためになされており、その目的とするところは、遊技性を損なわず、遊技者の技量によって容易かつ自由に遊技者の好みの方向に揺動部材を傾斜作動させることが可能となる弾球遊技機を提供することにある。
【課題を解決するための手段】
【０００６】
このような目的を達成するために、第１の発明は、遊技領域（例えば裏側の遊技領域Ａ１）を流下する遊技球を受け、該遊技球を所定方向に案内流下させる案内部材１８を揺動可能に備えてなる弾球遊技機であって、該案内部材１８は、遊技領域Ａ１にて回動可能に軸支されると共に、遊技球を転動案内する案内面２０を有した揺動部材１９と、該揺動部材１９の少なくとも一端側に備えられ、遊技球を所定時間滞留させることにより、前記揺動部材１９の傾斜作動を操作する遊技球滞留部２７とで構成されていることを特徴とする弾球遊技機としたことである。
本発明によれば、遊技者は、遊技球滞留部２７を狙って遊技球を遊技領域（例えば表側の遊技領域Ａ）へと打ち出し、遊技球滞留部２７に遊技球を滞留させることができれば、その自重で遊技球滞留部２７が下がり、該遊技球滞留部２７が備えられている揺動部材１９の一端側を下げて傾斜させると共に、該揺動部材１９の傾斜状態を所定時間だけ維持させることができる。
従って、その傾斜状態が維持されている間は揺動部材１９の一端側へと遊技球が案内され易くなる。よって、遊技性を損なわず、遊技者の技量で容易かつ自由に揺動部材１９の傾斜作動が可能となる。
【０００７】
第２の発明は、第１の発明において、揺動部材１９と遊技球滞留部２７とは、紐状連結部材３７により連結されていることを特徴とする弾球遊技機としたことである。
本発明によれば、揺動部材１９と遊技球滞留部２７との連結部材３７が紐状であるため、揺動部材１９及び遊技球滞留部２７の遊技盤１への設置の自由度が増す。
【０００８】
第３の発明は、第２の発明において、紐状連結部材３７は、所定箇所に配置したガイド部３８に沿って案内されていることを特徴とする弾球遊技機としたことである。
本発明によれば、さらに揺動部材１９及び遊技球滞留部２７の遊技盤１への設置の自由度が増す。
【０００９】
第４の発明は、第１乃至第３のいずれかの発明において、遊技球滞留部２７は、遊技球流下方向の上面を開放した半球皿形状とすると共に、その最深部に遊技球落下穴３０を備えたことを特徴とする弾球遊技機としたことである。
本発明によれば、遊技球滞留部２７に入った遊技球は、該滞留部２７の半球皿形状の内面に沿って上面開放部２８方向から遊技球落下穴３０方向へと円弧を描きながら流下していき、所定時間滞留した後に前記遊技球落下穴３０から表側の遊技領域Ａへと落下する。
従って、遊技球滞留部２７に入った遊技球の動きを損なわず、複数の遊技球を比較的長時間滞留させることができる。
【００１０】
第５の発明は、第４の発明において、遊技盤１に切欠き窓部３２を設け、遊技球滞留部２７は、その上面開放部２８の一部が盤面１前方に突出するようにして前記切欠き窓部３２内に収容されていることを特徴とする弾球遊技機としたことである。
本発明によれば、遊技球滞留部２７の上面開放部２８の一部が盤面１前方に突出するため、遊技領域Ａを転動流下する遊技球を受け入れ易く、遊技球滞留部２７の利点を損なわずに盤面１への設置が可能となる。
【００１１】
第６の発明は、第５の発明において、切欠き窓部３２の内側面３３に、遊技球滞留部２７の上下移動を案内する案内部３４を設けたことを特徴とする弾球遊技機としたことである。
本発明によれば、遊技球滞留部２７が上下移動する際の前後方向への傾き等を防止することができ、遊技球滞留部２７を安定して上下移動させることができ、遊技球滞留部２７の利点を損なうことがない。
【００１２】
第７の発明は、第１乃至第６のいずれかの発明において、下り傾斜状に傾斜した時の揺動部材１９の先端方向には、入賞口５ａ（５ｂ）が備えられていることを特徴とする弾球遊技機としたことである。
本発明によれば、揺動部材１９を所定方向に傾斜作動させることができれば、その傾斜した揺動部材１９の先端方向に備えられている入賞口５ａ（５ｂ）への遊技球の入賞確率が向上する。従って、遊技者は、入賞口５ａ（５ｂ）方向へと揺動部材１９を傾斜させようとした場合、遊技球滞留部２７を狙って遊技球を打ち出し、該滞留部２７へと遊技球を滞留させれば、揺動部材１９を入賞口５ａ（５ｂ）方向へと傾斜させることができる。
【００１３】
第８の発明は、第１乃至第７のいずれかの発明において、遊技球滞留部２７は、揺動部材１９の両端２２，２３側に夫々備えたことを特徴とする弾球遊技機としたことである。
本発明によれば、遊技者の技量によって、揺動部材１９の両端２２，２３側に備えたどちらかの遊技球滞留部２７，２７を狙って滞留させることが出来、揺動部材１９を左右いずれの方向にも傾斜操作することができる。
【００１４】
第９の発明は、第８の発明において、揺動部材１９が下り傾斜状に傾斜した時の一方の先端方向と他方の先端方向には、夫々入賞口５ａ，５ｂが備えられ、一方の入賞口５ａと他方の入賞口５ｂの賞球払出数が相違していることを特徴とする弾球遊技機としたことである。
本発明によれば、遊技者の技量によっていずれか好みの入賞口５ａ，５ｂ方向へと揺動部材１９を下り傾斜状に傾斜させ、かつその状態を所定時間維持させることができる。
【００１５】
第１０の発明は、第１乃至第９のいずれかの発明において、表示装置を備え、入賞口は、前記表示装置の変動表示を起動すると共に、大当たりとするか否かの抽選処理を起動する始動口５ａ（５ｂ）であることを特徴とする弾球遊技機としたことである。
本発明によれば、遊技者は自己の技量によって始動口５ａ（５ｂ）方向へと揺動部材１９を傾斜操作することができる。
【００１６】
第１１の発明は、第１乃至第１０のいずれかの発明において、遊技盤１の少なくとも一部を透明部材で形成すると共に、該遊技盤１の裏側に遊技球が転動する裏側の遊技領域Ａ１を備え、該遊技盤１の裏側の遊技領域Ａ１で、かつ該遊技盤１の透明部材部分を介して視認可能に揺動部材１９を配置したことを特徴とする弾球遊技機としたことである。
本発明によれば、遊技盤１の表側の遊技領域Ａを制約することなく揺動部材１９を設置でき、かつ揺動部材１９の動きも遊技者側から視認できる。
【発明の効果】
【００１７】
本発明によれば、遊技性を損なわずに、遊技者の技量で案内部材の傾斜方向を容易かつ自由に操作可能となるため、遊技の興趣を向上させることができる。
【発明を実施するための最良の形態】
【００１８】
以下、本発明の一実施形態について説明する。なお、本実施形態は本発明の一例にすぎずなんらこれに限定解釈されるものではなく、本発明の範囲内で設計変更可能である。
【実施例１】
【００１９】
図１は、本発明を適用した弾球遊技機（パチンコ機ともいう）の遊技盤１を遊技者側から見た状態の概略正面図で、遊技盤１は、遊技盤ベース２に種々の遊技部材３を備えて構成され、弾球遊技機を構成する図示しない内枠の前面に着脱自在に備えられる。なお、本実施例の弾球遊技機にあっては、この遊技盤１の裏側には遊技に関する表示を行うための図示しない表示装置を備える。
そして図示しないハンドルのレバーを時計方向に回転させることにより、例えば内蔵する発射ソレノイドを作動させて遊技球を表側の遊技領域Ａに打ち出すことができる。
【００２０】
遊技盤ベース２は、例えば本実施例では、その遊技盤ベース２全体を透光性部材（透明部材）で形成して裏側が視認可能とする。また、遊技盤ベース２は、透光性部材で形成した領域を少なくとも一部に有するもので、該透光性部材で形成した領域を介して裏側に配設される表示装置が臨む構成とするものであれば本実施例の範囲である。
なお、表示装置を備えない形態であれば、遊技盤ベース２を非透光性部材からなるものとしてもよく特に限定されず本発明の範囲内である。
【００２１】
遊技盤ベース２を形成する透光性部材は、例えば、遊技部材３を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。また、樹脂以外の材質、例えばガラスなどを採用することも本発明の範囲内であり設計変更可能である。
遊技盤ベース２の全体を構成する透光性部材は無色透明とするが、有色透明部材を採用することも可能である。また仕様によっては遊技盤ベース２を無色透明部材と有色透明部材とで構成したり、遊技盤ベース２に色彩・模様を施すことも可能である。但し、遊技盤１の裏側に表示装置を配置する場合には、表示装置による演出に悪影響を及ぼさない範囲内で設計変更可能である。この場合、模様は無色透明の線図が好ましいが、遊技盤ベース２の裏面側に配設される表示装置の構成によっては有色模様を施すことも可能である。
【００２２】
遊技部材３は、弾球遊技機において遊技に必要な全ての部材を言い、例えば、表側の遊技領域Ａを区画すると共に、該表側の遊技領域Ａに発射ソレノイドから打ち出される遊技球を導くガイドレール４、各種入賞口５ａ，５ｂ，６，７、遊技領域での入賞を逃したアウト球を排出するアウト口８、遊技盤ベース２に打たれている図示しない多数の遊技釘、表側の遊技領域Ａを流下転動する遊技球を転動案内する遊技球誘導板（天通路ともいう）９などが一例として挙げられる。また、特に限定されるものではないが、本実施例では、これら遊技部材３の全てを透明部材で形成している。
【００２３】
本実施例における入賞口としては、例えば、前記表示装置の変動表示を起動すると共に、大当たりとするか否かの抽選処理を起動する始動口５ａ，５ｂ、大当たり時に開放するアタッカと称する第一種特別電動役物の大入賞口６、一般入賞口７がある。
【００２４】
遊技球誘導板（天通路ともいう）９は、遊技盤ベース２の表面に係止される基部１０と、該基部１０の上部から前方に向けて突出するように設け、表側の遊技領域Ａを転動する遊技球が当たり、遊技球の流下方向（図１の矢印Ｂ１方向）を転動案内する湾曲板状に形成された転動面１１と、両側の端縁を遊技球が通行可能に開口して設けた左右の受入れ口（ワープ入口）１２，１２を備え、全体を透明部材で形成している。
【００２５】
そして、本実施例では、前記遊技部材３の一つとして、案内部材１８と裏通路部（球通路部）１３を備えている。
本発明は、この案内部材１８と裏通路部１３を備えた点に特徴的な構成を有するため、以下、この案内部材１８と裏通路部１３を中心に説明し、弾球遊技機を構成しているその他の構成部分については本発明の範囲内で設計変更可能であるためその詳細は省略する。
【００２６】
裏通路部１３は、前記天通路９に備えた左右の受入れ口１２，１２と連通して遊技盤１の裏側に備えられ、遊技盤１の裏側を遊技球が転動する裏側の遊技領域Ａ１を形成している。
裏通路部１３は、遊技盤ベース２に形成した導入穴２ａを介して前記左右の受入れ口１２，１２から連通して夫々下り傾斜状に遊技盤１の裏側に取り付けられた左右の誘導通路１４，１４と、該左右の誘導通路１４，１４が交差し、その交差位置から下方に延びた落下通路１５と、後述する案内部材１８の揺動部材１９に沿って転動案内され、落下した遊技球を受ける排出通路１６，１６とで構成されている。この排出通路１６，１６は、遊技盤１に形成された排出口２ｂ，２ｂと連通している。
なお、本実施例では、前記裏通路部１３の背面側をカバー部材１７で覆っている。
本実施例の裏通路部１３の形状は一例であってこれに限定されず本発明の範囲内で設計変更可能である。
【００２７】
案内部材１８は、前記裏側の遊技領域Ａ１を流下する遊技球を受け、該遊技球を所定方向に案内流下させるものであって、揺動部材１９と遊技球滞留部２７とで構成されている。
【００２８】
揺動部材１９は、上面に遊技球を転動案内する案内面２０を有して所定の長さの平板に形成され、遊技盤１の裏側略中央位置に中心部分２１が軸支されて、左右方向に回転揺動（回動）可能に取り付けられている。本実施例によると、揺動部材１９は、その両端２２，２３が、前記左右の排出通路１６，１６に架かる程度の長さに形成されている。また、揺動部材１９の幅は、特に限定はされないが、遊技盤１とカバー部材１７との間の裏側の遊技領域Ａ１よりも僅かに幅狭状に形成されている。なお、本実施例の揺動部材１９は、案内面２０のカバー部材寄りの縁部を上方に立上げて落下防止縁部２４を案内面長さ方向に延設している。
また、本実施例では、図４に示すように、揺動部材１９を所定の角度以上に傾斜しないように傾斜抑制部材２５，２５…を備えている。
【００２９】
遊技球滞留部２７は、遊技球流下方向の上面を開放した半球皿形状とすると共に、その最深部に遊技球落下穴３０を備えて形成されている。
本実施例では、この遊技球滞留部２７を、前記揺動部材１９の両端２２，２３側に夫々備えている。
なお、遊技球滞留部２７の全体形状は本実施例に限定解釈されるものではなく本発明の範囲内で設計変更可能である。また、遊技球落下穴３０は滞留する遊技球が落下可能な大きさの穴であればよく特にその形状は限定されず、本実施例では遊技球の滞留時間が最も長く得られるように遊技球落下穴３０を遊技球滞留部２７の最深部に形成するものとしているが、特に限定はされない。
【００３０】
遊技球滞留部２７は、遊技盤１の遊技領域Ａ中の下方の任意領域に設けた切欠き窓部３２内に、上下昇降可能に収容されている。この場合、前記遊技球滞留部２７は、その上面開放部２８の一部が盤面前方に突出するようにして切欠き窓部３２内に収容されるものとしている。また、切欠き窓部３２は、その背面側をカバー部材３５で覆って遊技盤１の裏側に遊技球が落下しないように配慮されている。
本実施例では、前記切欠き窓部３２の両内側面３３，３３の奥行き方向略中央部分に、上下方向に延設された案内部（ガイド溝）３４，３４を設け、遊技球滞留部２７はその相対向する外周面位置に前記案内部３４，３４に摺接してガイドされる突起３１，３１が設けられている。
このような構成を採用することで、遊技球滞留部２７は、両側の突起３１，３１が夫々切欠き窓部内側面３３，３３の案内部３４，３４に摺接して上下昇降できるため、上下昇降時に遊技球滞留部２７が前後方向にぐらつく（揺動）虞もない。前記案内部３４と突起３１との関係は、遊技球滞留部２７が前後方向にぐらつかないように嵌り合うと共に、上下摺動可能に摺接する関係とし、例えば断面視矩形状の案内部３４と、該案内部３４の凹部幅よりも僅かに幅狭状に形成した断面視矩形状の突起３１とすることが一例として挙げられる。本実施例で突起３１は左右に一個づつとしているが、複数個づつとしてもよい。このように複数個づつ設ける構成を採用した場合には、その突起３１形状は円筒形状などを採用しても前記遊技球滞留部２７の揺動防止が図れるため限定はされない。
【００３１】
前記揺動部材１９と遊技球滞留部２７とは、紐状連結部材３７により連結されている。
紐状連結部材３７の一端は揺動部材１９の一端側に突設した突起（本実施例では連結ピン）２６に連結され、他端は、裏側の遊技領域Ａ１側に面している遊技球滞留部２７の上縁２９側に突設した突起（本実施例では連結ピン）３６に連結されている。
紐状連結部材３７とは、非伸縮性の紐状部材で所定の長さを有するものであれば特に限定されず、例えばワイヤ、繊維材、合成樹脂材などからなるものが一例として挙げられる。
また、本実施例では、紐状連結部材３７は、所定箇所に配置した複数個のガイド部３８，３８…に沿って案内されている。
本実施例では、両方の遊技球滞留部２７，２７に遊技球が滞留していない状態の時に、夫々の紐状連結部材３７，３７が緊張すると共に、揺動部材１９が水平状態を保っているものとする。
【００３２】
そして、本実施例では、揺動部材１９が下り傾斜状に傾斜した時の一方の先端（一端）２２方向と他方の先端（他端）２３方向には、夫々入賞口５ａ，５ｂが備えられ、一方の入賞口５ａと他方の入賞口５ｂの賞球払出数が相違している。また、本実施例では、前記夫々の入賞口５ａ，５ｂを始動口としている。さらに本実施例では、図１で向かって左側の始動口５ｂのみをチューリップ式の普通電動役物からなる始動口とすると共に、該左側の始動口５ｂの賞球払出し数を５個、右側の始動口５ａの賞球払出し数を１０個としている。
なお、一方の入賞口のみを始動口とする形態であってもよく、また夫々の入賞口を一般入賞口とするものであってもよく本発明の範囲内で設計変更可能である。また、いずれか一方には全く入賞口（始動口含む）を備えないものとすることも可能である。
【００３３】
ここで、本実施例の弾球遊技機の遊技操作方法の一例について説明する。
【００３４】
遊技者は、図示しないハンドルのレバーを時計方向に回転させることにより、例えば内蔵する発射ソレノイドを作動させて遊技球を遊技盤１表側の遊技領域Ａに打ち出す。
遊技者としては、遊技当初は、まず図１の図面上向かって右側の遊技球滞留部２７を狙って遊技球を打ち出し、前記遊技球滞留部２７へとできる限り多くの遊技球を滞留させるようにする。
すなわち、右側の遊技球滞留部２７に遊技球を滞留させてその自重で降下させると、この降下作動によって紐状連結部材３７が引っ張られ、該紐状連結部材３７の他端が連結されている揺動部材１９の一端２２側を下方向に引っ張る。すると、揺動部材１９は、時計方向に回転し、払出し賞球数を１０個とする始動口５ａ方向に向けて揺動部材１９が下り傾斜状（図１で右方向に下り傾斜状）となり、遊技球滞留部２７に遊技球が滞留している所定時間内でその傾斜状態が維持される。
【００３５】
そしてこの状態の時、遊技者は次に受入れ口１２を狙って遊技球を打ち出す。受入れ口１２に入った遊技球は、裏通路部１３にて裏側の遊技領域Ａ１へと移動し、揺動部材１９上へと落下する。
揺動部材１９上に落下した遊技球は、その揺動部材１９の傾斜した案内面２０に沿って下り傾斜方向へと転動案内される。そして、その下り傾斜方向の揺動部材１９の先端（一端）２２から図１で向かって右側の排出通路１６へと遊技球が落下し、落下した遊技球は図１で向かって右側の排出口２ｂを介して表側の遊技領域Ａに排出される。
この排出口２ｂの下位には、払出し賞球数を１０個に設定された始動口５ａが備えられているため、排出口２ｂから排出された遊技球は、その始動口５ａに入るか、又は始動口５ａに入らなかった遊技球は遊技領域Ａを転動する。
【００３６】
このように、排出口２ｂが始動口５ａの上方に近接させて設けられているため、排出口２ｂから排出された遊技球は、極めて高い確率で始動口５ａへ入賞することとなる。
また、向かって左側のチューリップ式の始動口５ｂが開放されると、遊技者は次に図１で向かって左側の遊技球滞留部２７に遊技球を滞留させて揺動部材１９を図１で向かって左方向に下り傾斜状となるように遊技球を打ち出すように調整する。このように揺動部材１９を左方向に下り傾斜状となるように傾きを調整すれば、その揺動部材１９上に落下して転動案内される遊技球は、向かって左側の排出通路１６から排出口２ｂを介して表側の遊技領域Ａに排出され、その下位に備えられている始動口５ｂに入賞する。チューリップ式の始動口５ｂが開放されれば排出口２ｂから落下した遊技球の入賞確率は、右側の排出口２ｂから落下して始動口５ａへと入賞する確率よりも高いからである。
「変形例１」
【００３７】
本実施例では、上述した通り、中心部分２１が遊技盤１に軸支された揺動部材１９と、該揺動部材１９の両端２２，２３に夫々紐状連結部材３７，３７を介して左右の遊技球滞留部２７，２７を備えた形態で説明するが、次の構成も本発明の範囲内である（図示は省略する）。
例えば、前記本実施例と同様の状態で遊技盤１に軸支された揺動部材１９の一端側２２（２３）にのみ紐状連結部材３７を介して遊技球滞留部２７を備える形態が考えられる。
この場合、遊技球滞留部２７に全く遊技球が滞留していない状態の時に、揺動部材１９が水平状態を保つように調整する必要がある。
例えばその一例を説明すれば、遊技球滞留部を連結している一端側を、ゴム・バネ部材などの弾性部材で吊り下げ支持し、その弾性部材の所定の弾性力で水平方向に保持しているものとすることができる。この場合、遊技球滞留部本体の自重のみでは揺動部材が水平状態を保ち、該遊技球滞留部に一つでも遊技球が滞留されれば、その遊技球が加わった自重により紐状連結部材を介して揺動部材の一端側を下方に引っ張り、その引っ張り力が前記弾性部材の弾性力に勝るように調整する。
さらに、このような形態を採用した場合には、例えば遊技球滞留部と連結されている揺動部材の一端側先端の下方に存する排出口の下位に、始動口を備えるものとし、他端側先端の下方に存する排出口の下位には、たとえば一般入賞口を備えたり、あるいは入賞口を全く備えないものとすることもできる。
「変形例２」
【００３８】
また、例えば、所定長さの平板状の揺動部材の一端側を遊技盤に軸支（片持ち支持）し、その一端側の軸支部分を支点として時計方向・半時計方向に所定角度回転可能に備え、その他端側に紐状連結部材を介して遊技球滞留部を備えた形態が考えられる。
この形態の場合も、前記変形例１と同様に、遊技球滞留部を連結した揺動部材の他端側
【実施例２】
【００３９】
図５乃至図７は本発明の実施例２の要部を示す概略断面図である。
本実施例では、透明遊技盤１の裏側に所定間隔をあけて透明裏面盤３９を備え、透明遊技盤１と透明裏面盤３９との間に裏側の遊技領域Ａ１を形成すると共に、該裏側の遊技領域Ａ１に揺動部材１９を配置している。裏側の遊技領域Ａ１に配置した揺動部材１９は、前記透明遊技盤１の透明部分を介して遊技者側から視認可能である。
裏通路部１３の構造及び遊技球滞留部２７の構造、その他の遊技機構造にあっては、前記実施例１の構造を採用可能であるためその説明は省略する。
【００４０】
透明遊技盤１は、遊技盤１の少なくとも一部を透明部材で形成したものであればよい。
透明遊技盤１と透明裏面盤３９は、表示装置を備える実施の形態にあっては、その表示装置の表示領域を確保するため、少なくとも表示領域にあたる部分を透明部材にて構成すればよいが盤全体を透明部材で形成するものであってもよい。
なお、表示装置を備えない実施の形態にあっては、裏面盤３９は非透明部材からなるものであってもよい。
【００４１】
本実施例では、次の構成を採用した点も本実施例特有である。
すなわち、本実施例では、揺動部材１９の両端２２，２３に紐状連結部材３７，３７を連結する連結ピン２６，２６、紐状連結部材３７，３７をガイドする各ガイド部３８，３８…及び、遊技球滞留部２７，２７に前記紐状連結部材３７，３７を連結する連結ピン３６，３６のすべてを、裏面盤３９の裏側に突出させると共に、紐状連結部材３７，３７を全て裏面盤３９の裏側に配する構成とした。
【００４２】
揺動部材１９の連結ピン２６，２６は、裏面盤３９の表面から裏面にわたって穿設した円弧状ガイド溝４０，４０を介して裏面盤３９の裏側に突出させている。従って、連結ピン２６，２６は、裏面盤３９の裏側に突出した状態でこの円弧状ガイド溝４０，４０に沿って移動できる。
【００４３】
遊技球滞留部２７，２７の連結ピン３６，３６は、裏面盤３９の表面から裏面にわたって穿設した上下方向に延びる細長矩形状ガイド溝４１，４１を介して裏面盤３９の裏側に突出させている。従って、連結ピン３６，３６は、裏面盤３９の裏側に突出した状態でこの細長矩形状ガイド溝４１，４１に沿って移動できる。
各ガイド部３８は、裏面盤３９の裏側の所定位置に夫々突設させる。
ちなみに、揺動部材１９は、裏面盤３９に軸支されてもよいが、実施例１と同様に遊技盤１に軸支されるものであってもよい。
従って、紐状連結部材３７は、前記裏面盤３９の裏側所定位置に配設したガイド部３８，３８…に沿って、揺動部材１９の連結ピン２６と遊技球滞留部２７の連結ピン３６にわたって配設される。
このように裏面盤３９の裏側に紐状連結部材３７を配設するものとすれば、紐状連結部材３７の配設の自由度が向上する。
【実施例３】
【００４４】
図８は本発明の実施例３を示す要部概略図で、揺動部材１９と、該揺動部材１９の両端２２，２３に備えられる遊技球滞留部２７，２７とが、棒状連結部材４２，４２でもって連結されている実施の一例である。
なお、その他の構成及び作用効果は実施例１と同様であるためその説明は省略する。
【００４５】
上述した各実施例では、揺動部材１９を遊技盤１の裏側に配設すると共に、遊技球滞留部２７を遊技盤１に形成した切欠き窓部３２に配設したが、揺動部材１９と遊技球滞留部２７を表側の遊技領域Ａに配設することもできる。なお、この場合、紐状連結部材３７や棒状連結部材４２が、表側の遊技領域Ａに露出して遊技球の転動流下に支障を与えないような構成を採用する。
【図面の簡単な説明】
【００４６】
【図１】本発明遊技機を構成する遊技盤の一実施例を示す概略正面図。
【図２】遊技球滞留部を収容する切欠き窓部を縦断して示す側面図。
【図３】表側の遊技領域から切欠き窓部内の遊技球滞留部を見た状態の斜視図。
【図４】本実施例の遊技球振分け装置を遊技盤の裏側から見た状態の概略図。
【図５】実施例２の概略を示す要部断面図。
【図６】実施例２における揺動部材を裏側遊技領域内から見た状態の概略図。
【図７】実施例２における揺動部材と遊技球滞留部との関係を裏面盤の裏側から見た状態の概略図。
【図８】実施例３における揺動部材と遊技球滞留部との関係を示す概略図。
【符号の説明】
【００４７】
１  遊技盤
１３  裏通路部
１８  案内部材
１９  揺動部材
２０  案内面
２７  遊技球滞留部
３１  突起
３２  切欠き窓部
３４  案内部
３７  紐状連結部
３９  裏面盤
Ａ  表側の遊技領域
Ａ１  裏側の遊技領域
【図１】
2006042839.tif 000003
【図２】
2006042839.tif 000004
【図３】
2006042839.tif 000005
【図４】
2006042839.tif 000006
【図５】
2006042839.tif 000007
【図６】
2006042839.tif 000008
【図７】
2006042839.tif 000009
【図８】
2006042839.tif 000010